(57)【要約】【課題】漠然と何か人物に興味があるだけでも出版物の検索ができるようする。【解決手段】  顧客の端末が接続されるネットワークに接続しているサーバであって、  過去の出来事と、この出来事に係わった人物の肖像又は名前の何れか一方或は双方とを、出来事の生起順に並べた年表であって、各人物の肖像又は名前の何れか一方或は双方に、それぞれの人物に関連する情報にリンクされているものを、端末に表示する機能と、  端末にて、何れかの人物の肖像又は名前を、顧客が選択すると、選択された人物に関連する情報を端末に表示する機能とを有し、  選択された人物に関連する情報の中に、この人物に関連する出版物に関する情報が含まれているか、或は、この人物に関連する出版物に関する情報にリンクされている箇所があり、  端末にて、この箇所を、顧客が選択すると、この人物に関連する出版物に関する情報を、端末に表示する機能も有する出版物検索サーバ。【選択図】なし【特許請求の範囲】
【請求項１】
顧客の端末が接続されるネットワークに接続しているサーバであって、
過去の出来事と、この出来事に係わった人物の肖像又は名前の何れか一方或は双方とを、出来事の生起順に並べた年表であって、各人物の肖像又は名前の何れか一方或は双方に、それぞれの人物に関連する情報にリンクされているものを、端末に表示する機能と、
端末にて、何れかの人物の肖像又は名前を、顧客が選択すると、選択された人物に関連する情報を端末に表示する機能とを有し、
選択された人物に関連する情報の中に、この人物に関連する出版物に関する情報が含まれているか、或は、この人物に関連する出版物に関する情報にリンクされている箇所があり、
選択された人物に関連する情報の中に、この人物に関連する出版物に関する情報にリンクされている箇所がある場合には、端末にて、この箇所を、顧客が選択すると、この人物に関連する出版物に関する情報を、端末に表示する機能も有することを特徴とする出版物検索サーバ。
【請求項２】
上記出版物を顧客が端末にて発注するための手段を、端末に提供する機能も有することを特徴とする請求項１に記載の出版物検索サーバ。
【請求項３】
上記ネットワークに出版社の端末も接続されており、
出版社が、上記出版物に関する情報を、端末に入力してサーバに送信するための手段を、端末に提供する機能も有することを特徴とする請求項１又は２に記載の出版物検索サーバ。
【請求項４】
上記年表が、特定のカテゴリーに属する出来事のみを含むことを特徴とする請求項１〜３の何れか１項に記載の出版物検索サーバ。
【請求項５】
上記カテゴリーを定める特徴に作家の誕生が含まれ、上記年表が、作家の肖像及び名前と、この作家の誕生日とを、誕生日順に並べたものであり、
作家に関連する出版物に、この作家の作品が含まれることを特徴とする請求項４に記載の出版物検索サーバ。
【請求項６】
上記カテゴリーを定める特徴に作家の著作物を分類する特定のジャンルが含まれていることを特徴とする請求項４又は５に記載の出版物検索サーバ。
【請求項７】
顧客の端末が接続されるネットワークに接続しているサーバが実行する方法であって、
過去の出来事と、この出来事に係わった人物の肖像又は名前の何れか一方或は双方とを、出来事の生起順に並べた年表であって、各人物の肖像又は名前の何れか一方或は双方に、それぞれの人物に関連する情報にリンクされているものを、端末に表示する工程と、
端末にて、何れかの人物の肖像又は名前を、顧客が選択すると、選択された人物に関連する情報を端末に表示する工程とを含み、
選択された人物に関連する情報の中に、この人物に関連する出版物に関する情報が含まれているか、或は、この人物に関連する出版物に関する情報にリンクされている箇所があり、
選択された人物に関連する情報の中に、この人物に関連する出版物に関する情報にリンクされている箇所がある場合には、端末にて、この箇所を、顧客が選択すると、この人物に関連する出版物に関する情報を、端末に表示する工程も含むことを特徴とする出版物検索方法。
【請求項８】
上記出版物を顧客が端末にて発注するための手段を、端末に提供する工程も含むことを
特徴とする請求項７に記載の出版物検索方法。
【請求項９】
上記ネットワークに出版社の端末も接続されており、
出版社が、上記出版物に関する情報を、端末に入力してサーバに送信するための手段を、端末に提供する工程も有することを特徴とする請求項７又は８に記載の出版物検索方法。
【請求項１０】
上記年表が、特定のカテゴリーに属する出来事のみを含むことを特徴とする請求項７〜９の何れか１項に記載の出版物検索方法。
【請求項１１】
上記カテゴリーを定める特徴に作家の誕生が含まれ、上記年表が、作家の肖像及び名前と、この作家の誕生日とを、誕生日順に並べたものであり、
作家に関連する出版物に、この作家の作品が含まれることを特徴とする請求項１０に記載の出版物検索方法。
【請求項１２】
上記カテゴリーを定める特徴に作家の著作物を分類する特定のジャンルが含まれていることを特徴とする請求項１０又は１１に記載の出版物検索方法。
【発明の詳細な説明】
【技術分野】
【０００１】
本発明は、出版物を検索する技術に関する。
【背景技術】
【０００２】
一般に、本のオンライン販売では、欲しい本の書名、著者、出版社などについて、思い浮かぶキーワードを入力して本を検索する。（非特許文献１）。
【０００３】
しかしながら、書名、著者、出版社などについて、キーワードが具体的に思い浮かばないときには、当然のことながら、本の検索はできない。例えば、漠然と何か偉人や作家などの人物に興味があるだけのときでは、キーワードが具体的に思い浮かばないことがある。
【非特許文献１】“本やタウン”、［平成１５年１１月２０日検索］、インターネット＜URL：http://www.honya-town.co.jp＞
【発明の開示】
【発明が解決しようとする課題】
【０００４】
本発明は斯かる背景技術に鑑みてなされたもので、漠然と何か人物に興味があるだけでも出版物の検索ができるようすることを課題とする。
【課題を解決するための手段】
【０００５】
本発明において上記課題を達成するために、まず請求項１の発明では、顧客の端末が接続されるネットワークに接続しているサーバであって、
過去の出来事と、この出来事に係わった人物の肖像又は名前の何れか一方或は双方とを、出来事の生起順に並べた年表であって、各人物の肖像又は名前の何れか一方或は双方に、それぞれの人物に関連する情報にリンクされているものを、端末に表示する機能と、
端末にて、何れかの人物の肖像又は名前を、顧客が選択すると、選択された人物に関連する情報を端末に表示する機能とを有し、
選択された人物に関連する情報の中に、この人物に関連する出版物に関する情報が含まれているか、或は、この人物に関連する出版物に関する情報にリンクされている箇所があり、
選択された人物に関連する情報の中に、この人物に関連する出版物に関する情報にリンクされている箇所がある場合には、端末にて、この箇所を、顧客が選択すると、この人物に関連する出版物に関する情報を、端末に表示する機能も有することを特徴とする出版物検索サーバとしたものである。
【０００６】
また請求項２の発明では、上記出版物を顧客が端末にて発注するための手段を、端末に提供する機能も有することを特徴とする請求項１に記載の出版物検索サーバとしたものである。
【０００７】
また請求項３の発明では、上記ネットワークに出版社の端末も接続されており、
出版社が、上記出版物に関する情報を、端末に入力してサーバに送信するための手段を、端末に提供する機能も有することを特徴とする請求項１又は２に記載の出版物検索サーバとしたものである。
【０００８】
また請求項４の発明では、上記年表が、特定のカテゴリーに属する出来事のみを含むことを特徴とする請求項１〜３の何れか１項に記載の出版物検索サーバとしたものである。
【０００９】
また請求項５の発明では、上記カテゴリーを定める特徴に作家の誕生が含まれ、上記年表が、作家の肖像及び名前と、この作家の誕生日とを、誕生日順に並べたものであることを特徴とする請求項４に記載の出版物検索サーバとしたものである。
【００１０】
また請求項６の発明では、上記カテゴリーを定める特徴に作家の著作物を分類する特定のジャンルが含まれていることを特徴とする請求項４又は５に記載の出版物検索サーバとしたものである。
【００１１】
また請求項７の発明では、顧客の端末が接続されるネットワークに接続しているサーバが実行する方法であって、
過去の出来事と、この出来事に係わった人物の肖像又は名前の何れか一方或は双方とを、出来事の生起順に並べた年表であって、各人物の肖像又は名前の何れか一方或は双方に、それぞれの人物に関連する情報にリンクされているものを、端末に表示する工程と、
端末にて、何れかの人物の肖像又は名前を、顧客が選択すると、選択された人物に関連する情報を端末に表示する工程とを含み、
選択された人物に関連する情報の中に、この人物に関連する出版物に関する情報が含まれているか、或は、この人物に関連する出版物に関する情報にリンクされている箇所があり、
選択された人物に関連する情報の中に、この人物に関連する出版物に関する情報にリンクされている箇所がある場合には、端末にて、この箇所を、顧客が選択すると、この人物に関連する出版物に関する情報を、端末に表示する工程も含むことを特徴とする出版物検索方法としたものである。
【００１２】
また請求項８の発明では、上記出版物を顧客が端末にて発注するための手段を、端末に提供する工程も含むことを特徴とする請求項７に記載の出版物検索方法としたものである。
【００１３】
また請求項９の発明では、上記ネットワークに出版社の端末も接続されており、
出版社が、上記出版物に関する情報を、端末に入力してサーバに送信するための手段を、端末に提供する工程も有することを特徴とする請求項７又は８に記載の出版物検索方法としたものである。
【００１４】
また請求項１０の発明では、上記年表が、特定のカテゴリーに属する出来事のみを含むことを特徴とする請求項７〜９の何れか１項に記載の出版物検索方法としたものである。
【００１５】
また請求項１１の発明では、上記カテゴリーを定める特徴に作家の誕生が含まれ、上記年表が、作家の肖像及び名前と、この作家の誕生日とを、誕生日順に並べたものであり、
作家に関連する出版物に、この作家の作品が含まれることを特徴とする請求項１０に記載の出版物検索方法としたものである。
【００１６】
また請求項１２の発明では、上記カテゴリーを定める特徴に作家の著作物を分類する特定のジャンルが含まれていることを特徴とする請求項１０又は１１に記載の出版物検索方法としたものである。
【発明の効果】
【００１７】
請求項１及び７の発明は、漠然と何か人物に興味があるだけでも、年表から面白そうな人物を見つけ、この人物に関連する出版物を検索することができるという効果がある。
【００１８】
請求項２及び８の発明は、、漠然と何か人物に興味があるだけでも、年表から面白そう
な人物を見つけ、この人物に関連する出版物を検索している内に、欲しい思う出版物がある場合に、この出版物を発注できるという効果がある。
【００１９】
請求項３及び９の発明は、出版物検索サーバで検索可能な出版物に関する情報を、出版社が容易に提供できるという効果がある。
【００２０】
請求項４及び１０の発明は、顧客が、特定のカテゴリーに興味がある場合に、このカテゴリーの出来事に係わる人物に関連する出版物の検索が容易になるという効果がある。
【００２１】
請求項５及び１１の発明は、顧客が、作家に興味があるとき、この作家の作品を容易に検索できるという効果がある。
【００２２】
請求項６及び１２の発明は、顧客が、特定のジャンルに属する作品に興味がある場合、このジャンルに属する作品を容易に検索できるという効果がある。
【００２３】
以上、本発明は、漠然と何か人物に興味があるだけでも出版物の検索ができるという効果がある。
【発明を実施するための最良の形態】
【００２４】
以下に、本発明の最良の一形態を説明する。
【００２５】
図１に示すように、本発明の出版物検索サーバと、顧客の端末と、出版社の端末とは、ネットワークに接続されている。顧客の端末、出版社の端末は、ネットワークに、それぞれ複数接続されても良い。
【００２６】
端末は、パソコンなどのコンピュータ、或は、携帯電話機などの携帯情報端末である。端末には、Ｗｅｂブラウザがインストールされている。
【００２７】
ネットワークは、出版物検索サーバと各端末との間でデータ通信が可能であれば、その種類や形態に特に制限は無く、例えば、インターネットや専用回線でも良く、また、途中で光通信や無線通信が行なわれるものであっても良い。
【００２８】
出版物検索サーバは、ネットワークを介して端末に接続され、端末のＷｅｂブラウザにて為される顧客の操作に応じて、様々なＷｅｂページを、この端末に送信するＷｅｂサーバの機能を有する。出版物検索サーバから端末に送信されたＷｅｂページは、この端末によって受信され、この端末のＷｅｂブラウザで表示される。ここで、Ｗｅｂページとは、ＨＴＭＬ言語で記述された情報のまとまりのことである。
【００２９】
端末のＷｅｂブラウザにて為される顧客の操作に応じて、出版物検索サーバが端末に送信するＷｅｂページには、年表のＷｅｂページがある。この年表は、過去の出来事と、この出来事に係わった人物の肖像又は名前の何れか一方或は双方とを、出来事の生起順に並べたものである。ここで肖像とは、特定の人物の顔や容貌などをうつしとった絵又は写真である。
【００３０】
年表は、出来事をカテゴリーに別けて分類して、カテゴリー別の年表として作られたものであっても良い。
【００３１】
カテゴリー別の年表の例として、図２に日本史年表、図５に日本作家誕生日年表を示す。図２の日本史年表は、日本の歴史をカテゴリーとして、日本の歴史上の出来事と、この出来事に係わった人物の肖像及び名前とを、出来事の生起順に並べたものである。また図
５の日本作家誕生日年表は、日本の作家の誕生をカテゴリーとして、日本の作家の肖像及び名前と、この作家の誕生日とを、誕生日順に並べたものである。
【００３２】
またカテゴリーを定める特徴には、作家の著作物を分類する特定のジャンルが含まれていても良い。
【００３３】
年表のＷｅｂページにおいて、各人物の肖像又は名前の何れか一方或は双方は、それぞれの人物に関連する情報のＷｅｂページにリンクされている。このため、年表のＷｅｂページをＷｅｂブラウザで表示している端末において、ある特定の人物の肖像又は名前を、顧客が、この端末のマウスでクリックすることなどにより選択すると、出版物検索サーバは、この特定の人物に関連する情報のＷｅｂページを、この端末に送信する。
【００３４】
例えば、図２の日本史年表のＷｅｂページをＷｅｂブラウザで表示している端末において、明智光秀という名前又は明智光秀の肖像を、顧客が、この端末のマウスでクリックすることなどにより選択すると、出版物検索サーバは、図３に示す明智光秀に関連する情報のＷｅｂページを端末に送信する。
【００３５】
また例えば、図５の日本作家誕生日年表のＷｅｂページをＷｅｂブラウザで表示している端末において、樋口一葉という名前又は樋口一葉の肖像を、顧客が、この端末のマウスでクリックすることなどにより選択すると、出版物検索サーバは、図６に示す樋口一葉に関連する情報のＷｅｂページを、この端末に送信する。
【００３６】
特定の人物に関連する情報のＷｅｂページの中には、この特定の人物に関連する出版物に関する情報のＷｅｂページにリンクされている箇所があっても良い。この場合、特定の人物に関連する情報のＷｅｂページをＷｅｂブラウザで表示している端末において、このリンクの箇所を、顧客が、この端末のマウスでクリックすることなどにより選択すると、出版物検索サーバは、この特定の人物に関連する出版物に関する情報のＷｅｂページを、この端末に送信する。
【００３７】
例えば、図３に示す明智光秀に関連する情報のＷｅｂページでは、関連出版物というボタンに、図４に示す明智光秀に関連する出版物に関する情報のＷｅｂページがリンクされている。このため、図３に示すＷｅｂページをＷｅｂブラウザで表示している端末において、関連出版物というボタンを、顧客が、この端末のマウスでクリックすることなどにより選択すると、出版物検索サーバは、図４に示すＷｅｂページを、この端末に送信する。
【００３８】
特定の人物に関連する出版物に関する情報のＷｅｂページの中に、各出版物を端末で発注するためのＷｅｂページにリンクされている箇所があっても良い。この場合、特定の人物に関連する出版物に関する情報のＷｅｂページをＷｅｂブラウザで表示している端末において、このリンクの箇所を、顧客が、この端末のマウスでクリックすることなどにより選択すると、出版物検索サーバは、各出版物を端末で発注するためのＷｅｂページを、この端末に送信する。
【００３９】
例えば、図４に示す明智光秀に関連する出版物に関する情報のＷｅｂページでは、各々の出版物の書名に、各々の出版物を端末で発注するためのＷｅｂページがリンクされている。このため、図４に示すＷｅｂページをＷｅｂブラウザで表示している端末において、各々の出版物の書名を、顧客が、この端末のマウスでクリックすることなどにより選択すると、出版検索サーバは、各々の出版物を端末で発注するためのＷｅｂページを、この端末に送信する。
【００４０】
特定の人物に関連する情報のＷｅｂページにおいて、この特定の人物に関連する情報に
、この特定の人物に関連する出版物に関する情報が含まれていても良い。
【００４１】
例えば、図６に示す樋口一葉に関連する情報のＷｅｂページでは、樋口一葉に関連する情報として、樋口一葉の生涯を説明する年表の中に、「うもれ木」、「雪の日」、「たけくらべ」、「大つごもり」、「にごりえ」、「十三夜」、「わかれみ道」という樋口一葉の作品についての情報が含まれている。
【００４２】
特定の人物に関連する情報のＷｅｂページにおいて、この特定の人物に関連する情報に、この特定の人物に関連する出版物に関する情報が含まれているとき、このＷｅｂページの中に、各出版物を端末で発注するためのＷｅｂページがリンクされている箇所があっても良い。この場合、特定の人物に関連する情報のＷｅｂページをＷｅｂブラウザで表示している端末において、このリンクの箇所を、顧客が、この端末のマウスでクリックすることなどにより選択すると、出版物検索サーバは、各出版物を端末で発注するためのＷｅｂページを、この端末に送信する。
【００４３】
例えば、図６に示す樋口一葉に関連する情報のＷｅｂページでは、「うもれ木」、「雪の日」、「たけくらべ」、「大つごもり」、「にごりえ」、「十三夜」、「わかれみ道」という樋口一葉の各作品の名前に、各作品を収める出版物を端末で発注するためのＷｅｂページがリンクされている。このため、図６に示すＷｅｂページを表示している端末において、各々の作品の名前を、顧客が、この端末のマウスでクリックすることなどにより選択すると、出版物検索サーバは、各々の作品を収める出版物を端末で発注するためのＷｅｂページを、この端末に送信する。
【００４４】
端末にて為される顧客の操作に応じて、出版物検索サーバが端末に送信するＷｅｂページの作成に必要な情報の内、少なくとも、出版物と著者とに関する情報は、出版社よって、端末に入力され、この端末から出版物検索サーバに送信される。端末から出版物検索サーバに送信された出版物と著者とに関する情報は、出版物検索サーバによって受信されて保管される。
【００４５】
端末にて為される顧客の操作に応じて、出版物検索サーバが端末に送信するＷｅｂページは、出版社の端末から送信された出版物と著者とに関する情報などの情報に基づいて、出版物検索サーバが自動作成しても良いし、或は、出版物検索サーバを管理している者が作成しても良い。
【００４６】
また、出版物検索サーバは、各顧客の電子メールアドレスを保管し、出版社の端末から新刊の出版物に関する情報が送信されてくる度に、各顧客に新刊案内を電子メールで送っても良い。
【図面の簡単な説明】
【００４７】
【図１】本実施形態に係わるシステムの構成例を示す図。
【図２】日本史年表のＷｅｂページの例を示す図。
【図３】明智光秀に関連する情報のＷｅｂページの例を示す図。
【図４】明智光秀に関連する出版物に関する情報のＷｅｂページの例を示す図。
【図５】日本作家誕生日年表のＷｅｂページの例を示す図。
【図６】樋口一葉に関連する情報のＷｅｂページの例を示す図。
【図１】
2005165933.tif 000002
【図２】
2005165933.tif 000003
【図３】
2005165933.tif 000004
【図４】
2005165933.tif 000005
【図５】
2005165933.tif 000006
【図６】
2005165933.tif 000007